(57)【特許請求の範囲】
【請求項１】
複数の原稿をその給紙方向に直行する方向に並列にセット可能な大きさに形成された原稿給紙台と、
前記原稿給紙台に並列にセットされている各原稿束中のページ毎に、これらのページが転写紙の何ページ目に複写されるかのタイミングを記憶する複写タイミング記憶手段と、
前記複写タイミング記憶手段に記憶されたタイミングで、前記原稿給紙台に並列にセットされた各原稿をそれぞれ独立してコンタクトガラス上に給紙する複数の給紙装置と、
前記複数の給紙装置により、コンタクトガラス上に給紙された１枚の原稿、または並列に並べられた複数枚の原稿に対応する画像を１枚の転写紙に複写する複写手段と、を具備することを特徴とする複写装置。
【請求項２】
前記複写手段による複写中に、前記複数の給紙装置のうちの少なくとも１つの給紙装置からの原稿給紙が無い場合、原稿のない部分に対して複写される画像を消去する画像消去手段を更に具備することを特徴とする請求項１記載の複写装置。
【発明の詳細な説明】
【０００１】
【発明の属する技術分野】
本発明は複写装置に係り、例えば、２枚以上の並列にセットされた原稿を独立に給紙し、１枚の転写紙に複写する並列独立給紙モードを有する複写装置に関する。
【０００２】
【従来の技術】
従来、原稿給紙台に並列にセットされた複数枚の原稿をそれぞれ給紙し、その並列に並べられた複数の原稿に対応する画像を１枚の転写紙に複写する並列給紙モードが実行可能な自動原稿給紙装置搭載の複写装置が、例えば、特開平４−３１７０８０号公報に置いて提案されている。この複写装置により原稿を１毎ずつ給紙する給紙部に、複数枚の原稿束を並列にしてセット可能な原稿給紙ユニットをセットすることで、複数の原稿を１枚の転写紙に複写することができるようになっている。
しかし、従来の複写装置の並列給紙モードでは、並列に並べられた原稿は同時に給紙されていた。このため、例えば、５種類の異なる選択問題が記載された５枚の選択問題原稿と、１種類１枚の共通問題原稿があり、各選択問題と共通問題を同一の転写紙に複写するような場合、選択問題原稿の枚数にあわせて共通問題原稿も同一のものを５枚準備する必要があるという問題があった。
そこで、本出願人は、このような問題を解決するために、未公開の技術として、原稿給紙ユニットにセットされた複数の原稿束をそれぞれ独立して給紙する（並列独立給紙モード）ことで、ユーザーが用意する原稿の枚数を減らし、ユーザーに使いやすい複写装置を提案している。
【０００３】
【発明が解決しようとする課題】
しかし、原稿束ごとに給紙するタイミングを部数コピーページごとに設定できる複写装置では、例えば原稿束Ａは１ページ目から給紙し、原稿束Ｂを２ページ目から給紙する場合、原稿束Ｂの部分に対する１ページ目の画像としては、原稿を搬送するためのベルトが複写されユーザーに見にくい画像となっていた。
そこで本発明は、画像を消去する機能でコンタクトガラス上に原稿がない部分の画像を消去することでユーザーに見やすい画像を提供することを目的とする。
【０００６】
【課題を解決するための手段】
請求項１に記載した発明では、複数の原稿をその給紙方向に直行する方向に並列にセット可能な大きさに形成された原稿給紙台と、前記原稿給紙台に並列にセットされている各原稿束中のページ毎に、これらのページが転写紙の何ページ目に複写されるかのタイミングを記憶する複写タイミング記憶手段と、前記複写タイミング記憶手段に記憶されたタイミングで、前記原稿給紙台に並列にセットされた各原稿をそれぞれ独立してコンタクトガラス上に給紙する複数の給紙装置と、前記複数の給紙装置により、コンタクトガラス上に給紙された１枚の原稿、または並列に並べられた複数枚の原稿に対応する画像を１枚の転写紙に複写する複写手段と、この複写手段による複写中に、前記複数の給紙装置のうちの少なくとも１つの給紙装置からの原稿給紙が無い場合、コンタクトガラス上に原稿のない部分に対して複写される画像を消去する画像消去手段と、を複写装置に具備させて前記目的を達成する。
請求項２に記載した発明では、請求項１記載の複写装置において、前記複写手段による複写中に、前記複数の給紙装置のうちの少なくとも１つの給紙装置からの原稿給紙が無い場合、原稿のない部分に対して複写される画像を消去する画像消去手段を更に複写装置に具備させて前記目的を達成する。
【０００７】
【発明の実施の形態】
以下、本発明の複写装置における実施形態を図１ないし図２０を参照して詳細に説明する。
図１はこの発明の実施形態を示す自動原稿給紙装置搭載の複写装置の主要な部分を示す図、図２は同じく自動原稿給紙装置搭載の複写装置の全体構成図、図３は同じくその複写装置が有する循環式原稿給紙装置を示す全体構成図、第４図は同じくその複写装置が有する自動原稿給紙装置を示す構成図である。
【０００８】
図１に示すように、この自動原稿給紙装置搭載の複写装置と複写装置本体１上に、原稿を循環させる循環式原稿給紙装置（ＲＤＦ）１１と自動原稿給紙装置（ＡＤＦ）１２とを搭載しており、複写装置本体１の側部にフィニッシャ３を装着している。
その自動原稿給紙装置１２の詳しい説明は後述するが、複数の原稿束２をその給紙方向（矢印Ｃ方向）に直行する方向に並列にセット可能な大きさに形成された原稿給紙台である原稿載置トレイ３９を有している。
【０００９】
そして、この複写装置は自動原稿給紙装置１２の原稿載置トレイ３９に並列にセットされた複数（図１では２束の場合を示している）の原稿束２をそれぞれ搬送してその並列に並べられた複数の原稿２ａ、２ｂに対応する画像を１枚の転写紙Ｐに複写する並列独立給紙モードが実行可能である。
【００１０】
図３は、循環式自動原稿送り装置（ＲＤＦ）の内部構成図である。
原稿載置台２１に下向きに載置された原稿束は、最下部の用紙１枚がバキュームベルト２２に引きつけられ、バキュームベルト２２の移動により原稿給紙口に送られるが、給紙に先立ち、原稿仕切爪３５は一旦原稿左上側に引き込まれ、再度出現することにより、原稿束上にセットされる。
その状態で給紙された原稿は、原稿給紙ローラー２３により中間搬送路２４に送られ一旦停止する。停止した原稿はその後の再起動によりターンローラー２５及び、原稿搬送ベルト２６ａ、ｂによりコンタクトガラス上にセットされる。
連続給紙する場合は、同時に前記給紙動作を実行することで次の原稿を中間搬送路２４にセットする。
【００１１】
コンタクトガラス上にセットされた原稿の排出は、原稿搬送ベルト２６ａ、ｂと原稿排紙ローラー２８とで原稿排紙路２９に送られるが、片面原稿と両面原稿で排出方法が異なっている。なお、２６−１ａと２６−１ｂは原稿搬送ベルトを駆動するためのベルト駆動ローラーである。
【００１２】
片面原稿の場合
片面原稿の排紙動作は次のようになる。コンタクトガラス上の原稿は、原稿搬送ベルト２６ａ、ｂにより原稿排紙路２９に導かれ、一旦排出路に進入した原稿の後端が反転センサー１４に検知されたとき、スイッチバックローラー３０が逆転し原稿は逆走する。
この時、排紙切換爪２７が動作しているので原稿は正転排出路３３に導かれ、原稿排紙ローラー３４により、原稿載置台２１の原稿束の上に、同じ向きで排出される。
【００１３】
両面原稿の場合
両面原稿は、スイッチバックローラー３０の逆転はなく、そのまま反転排出路３２に進む。従って、原稿載置台２１に再度スタックされる場合は、天地が逆になる。この状態で給紙されるとコンタクトガラス上では裏面が露光されることになり、再度、反転排出路 ３２を通ることでもとの状態に戻される。
【００１４】
最終原稿検知
最終原稿の検知は、最終原稿の上にセットされた原稿仕切爪３５が最終原稿の給紙により仕切り爪検知センサー３６内に落下することで行われる。
【００１５】
複写動作
複写処理について、以下説明する。複写処理は、複写装置本体１に設けられた操作部に必要な処理モードを設定し、プリントキーを押すことにより開始されるため、まず、操作部について説明する。
【００１６】
図７は、複写装置本体１に設けられた操作部を表したものである。
図７に示したように、操作部７０は、モードクリア／予熱キー７１、割り込みキー７２は、エンターキー７３、プリントキ−（スタートキ−）７４、テンキー７５、クリア／ストップキー７６、ガイダンスキー７７、プログラム登録キー７８、プログラム呼び出しキー７９、表示部８０、を備えている。
【００１７】
モードクリア／予熱キー７１は、モードクリアキーと予熱キーを兼ねており、キーを押すことによりモードクリアキーの機能となり、そのまま押し続けると予熱キーの機能となる。
モードクリアキーは、各々のモードを標準モードに戻すためのもので、このキーの操作によりリピート枚数は１枚、濃度は自動濃度、給紙は自動給紙選択、変倍率は等倍に設定され、両面等、その他の機能は全て解除される。
予熱キーは、オルタネートスイッチであり、機械を予熱状態にするときと予熱状態を解除するときに押す。予熱状態では、定着ユニットが低温制御され、また、予熱ランプのみ点灯し、その他の表示は消灯することで消費電力を抑えている。従って、コピー処理実行中は、この予熱キーは無効となる。
【００１８】
割り込みキー７２は割り込みコピーをする場合に押し、エンターキー７３はズーム変倍、綴じ代の数値を入力するときに押し、プリントキ−（スタートキ−）７４は複写動作を開始するときに押す。ここは、レディ／ウェイト表示を兼ねており、レディ時は、グリーンのＬＥＤが、ウェイト時はレツドのＬＥＤが点灯する。
テンキー７５は、複写枚数を設定する場合、ズーム変倍、綴じ代の数値を入力する場合に使用する。
クリア／ストップキー７６は、待機中はクリアキー、複写動作中はストップキーの機能を有する。このクリアキーは、設定した複写枚数を解除する時に押す。また、ストップキーは、複写動作を中断するときに押し、その時点での複写動作が終了したときに機械は停止する。
【００１９】
ガイダンスキー７７は、基本操作の説明を表示するときに押す。プログラム登録キー７８は、使用者が頻繁に使用するモードを登録することができ、登録したモードはプログラム呼び出しキー７９で呼び出すことができる。
表示部８０はＬＣＤタイプのものである。このディスプレイは、表面にタッチキーを配設し、機能の表示とともに選択キーにもなっている。
【００２０】
図８は、操作部７０に設けられている表示部８０を表したものである。
この図８に示すように、表示部８０は、メッセージディスプレィ８１、セット表示エリア８２、トレイ選択キー及び用紙サイズ、残量表示工リア８３、自動用紙選択キー８４、濃度調整キー８５、自動濃度キー８６、等倍キー８７、拡大キー８８、縮小キー８９、ズームキー９０、用紙指定変倍キー９１、両面キー９２、両面モードメッセージエリア９３、綴じ代キー９４、綴じ代モードメッセージエリア９５、シフト機能選択キー９６、１箇所ステイプル選択キー９７、２箇所ステイプル選択キー９８、を備えている。
【００２１】
メッセージディスプレィ８１は、機械に関する情報を表示する場所で、例えぱ、「コピーできます。」「用紙を補給して下さい。」「予約コピーできます。」等のメッセージを表示する。
トレイ選択キー及び用紙サイズ、残量表示工リア８３は、左より順に、上段トレイ、中段トレイ、下段トレイ、大容量トレイを示している。自動用紙選択キー８４は、このキーが選択されたときには原稿と同じサイズの用紙が収納されたトレイが自動選択される。
【００２２】
濃度調整キー８５は、複写濃度を手動で調整するときに押す。自動濃度キー８６は、原稿の地肌濃度に応じて複写濃度を自動的に調整するときに押す。等倍キー８７、拡大キー８８、縮小キー８９は、等倍コピー、あるいは定形サイズの縮小、拡大を指定するときに押す。ズームキー９０は、６４〜１４２％の間で任意の倍率を指定するときに押す。
用紙指定変倍キー９１は、指定した用紙のサイズに合わせて原稿の画像を自動的に縮小拡大したい場合に使用する。
両面キー９２は、片面原稿を両面にする場合、両面原稿を両面にする場合、両面原稿を片面にする場合に選択する。両面モードメッセージエリア９３は、両面モードの機能が選択されたとき、コピー作成状態が絵で示される。
綴じ代キー９４は、綴じ代が必要なとき２１ｍｍ以下であれぱ左右どちら側にも設定できる。綴じ代モードメッセージエリア９５は、綴じ代モードの機能が選択されたとき、綴じ代状態が表示される。
【００２３】
図９は、操作制御部のブロック図である。
操作制御部はＣＰＵ１０１、ＲＯＭ１０２ 、ＲＡＭ １０３、割り込みコン
トローラ１０４、主制御部との通信を行なう通信ポート１０５、ＬＣＤ表示部をコントロールするＬＣＤコントローラ１０６と表示メモリ１０７、ＬＥＤを点灯させるための出力ポート１０８及び、タッチキー、プッシュキーの入力を読み込むＤＭＡコントローラ１０９等で構成されている。
操作者は、必要な処理モードを操作部に設定し、プリントキーによりコピースタート指示を入力する。複写装置は操作部に設定された処理モードに従い、コピープロセスを実行する。
【００２４】
次に、概略のコピープロセスを 図２を参照しながら説明する。
ＲＤＦ（循環式原稿給紙装置）１１には、原稿載置台２１があり、そこに載置された原稿は、バキュームベルト２２により給紙され、中間搬送路 ２４を通り、コンタクトガラス１３上に搬送される。そこで原稿はフラッシュランプ５２により全面光照射される。
フラッシュランプ５２の電源５３は、フラッシュに先立ち、電荷が与えられ、所定のタイミングで発光する。原稿からの反射光は、第１ミラー４、スルーレンズ５、第２ミラー６によりベルト感光体７を露光する。
ベルト感光体７は、帯電器８により電荷が一様に与えられており、露光により静電潜像を形成する。ベルト感光体７上の静電潜像は、イレーサ９により不要部分の電荷が除去され、現像器 １０により現像されて、転写部へ送られる。
【００２５】
現像された原稿像は、そこで、転写チャージャー１７により転写紙に転写される。この転写紙は、給紙トレイい１８、１９、２０、両面トレイ４５のいずれかより給紙され、搬送路５５に沿って搬送され、レジストローラ５６により、感光体７上の原稿像とタイミングを合わせて、感光体７と転写チャージャ−１７との間に送られる。
そこで像転写された転写紙は、分離チャージャー５６により、感光体と分離し、搬送ベルト５７を通り定着器５８により定着される。
【００２６】
転写紙の両面に複写する両面モードでは、両面切り替え爪６１が両面トレイ４４５側に切り替わり、転写紙が両面進入路６３より両面トレイ４５に送られ、両面トレイ内に一旦貯えられる。また、転写紙の片側にのみ複写する片面モードでは、両面切り替え爪６１が排紙側に切り替わり、排出切り替え爪６２まで搬送される。排出切り替え爪上６２は、転写紙を本体トレイ４９側への排出か周辺機への排出かを切り換える働きをする。
【００２７】
感光体７は、転写紙の分離後に除電用チャージャ−６５により除電され、クリーニング装置６６により感光体上の残トナーを除去され、次の複写に備える。
このベルト感光体７は、継目を有するため、ベルト上の画像形成領域は、継目の部分を避けて、各サイズ毎に、それぞれ等間隔になるように決められている。
【００２８】
図６は、継目で切って展開したベルト感光体の画像形成領域（セグメント）の配置を示す図である。
この図６に示されるように、一点鎖線で示すＡ４セグメントは５個、破線で示すＢ４セグメントは４個、二点鎖線で示すＡ３セグメントは３個が、等間隔になるように決められている。
【００２９】
図１０は、前記のベルト感光体に像を形成し、給紙トレイより機送された転写紙に像を形成するための制御ブロック図である。
この図１０に示されるように、制御部はＣＰＵ２０１、ＲＯＭ２２１、ＲＡＭ２２２、入力ポート２２３、出力ポート２０２等で構成されている。
入力ポート２２３には各種センサーが接続され、センサー信号を入力し、出力ポート２０２には、モーター制御回路２０４、パワーパック２０５等が接続され負荷の制御が可能となっている。
【００３０】
画像形成時は、継目を避けるために、画像形成に先立って感光体上の画像形成領域を決める必要がある。そのためにベルト感光体７の端部には、継目から一定の距離に同期マークが設けられ、マークセンサー２１０で検出される。
画像領域を決定するためには、感光体を駆動し、このマークを検出する必要がある。そのために出力ポート２０２からの駆動信号が、モーター制御回路２０４に入力され、感光体駆動モーター２０８が駆動される。
感光体駆動モーター２０８には、エンコーダ２０９が、一体に取り付けられており、ベルト感光体７の移動距離に比例した数のパルスを出力する。そのパルス信号は、モーター制御回路２０４に入力され、感光体駆動モーター２０８を等速に回転させるために使用されるとともに、分周器２０６にも入力され、所定の分周比で分周されたのち、ＣＰＵ２０１に入力され、その数がカウントされる。この値は、感光体の移動量に比例しているので、このカウント値により画像形成領域が決定される。
【００３１】
次に複写シーケンスについて説明する。
図６に示したベルト感光体の画像形成領域（セグメント）の先端が、所定の位置に達するとシーケンス動作が始まり、シーケンス制御用のカウンターが動作を開始する。
このカウンターは、前記分周回路２０６からのパルス信号によりカウントアップ動作をし、シーケンスが完了することによりクリヤーされる。カウンターが動作を開始し、その値がＣＮＴ  １の値になると出力ポート２０２からパワーパック２０５に信号が出力され、帯電器８が動作し、感光体７を一様に帯電させる。
【００３２】
次に、カウント値がＣＮＴ  ２になると、出力ポート２０２よりフラッシュ電源５３に充電開始信号が入力されフラッシュランプ５２を点灯させるために、フラッシュ電源５３内のコンデンサーに電荷が貯えられ、フラッシュ信号をフラッシュ電源５３に送ることによりフラッシュランプ５２を点灯させ、コンタクトガラス１３上にセットされた原稿を光照射し、感光体７を露光する。このフラッシュ信号は、カウント値が、ＣＮＴ  ３で出力される。
【００３３】
更に感光体７が回転し、画像の先端が、イレーサー９の位置（＝ＣＮＴ  ４）に達するとイレーサー９の画像に対応する部分が消灯し、画像の後端がイレーサ９の位置（＝ＣＮＴ  ５）に達すると、イレーサーは全点灯し、感光体上の余分な電荷が消されて、原稿像の部分にのみ静電潜像が残される。
この静電潜像は、現像器１０で現像され、表面コピーの場合は、給紙トレイ１８、１９、２０の何れかから送られた用紙に、裏面コピーの場合は、両面トレイ４５から送られた用紙に転写される。
原稿像と同期を取るために用紙は、どのトレイから送られるかにより、異なったタイミングで搬送を開始する。原稿像を転写された用紙は、搬送ベルト５７を通り、定着器５８により定着される。
両面切り替え爪６１は、ＣＮＴ  ６で動作し、両面トレイにスタックする場合は、両面トレイ側に、そうでない場合は排出側に切り換える。
排出切り替え爪６２はＣＮＴ  ７で動作し、用紙を本体トレイに排出するか、周辺装置に送るかを切り換える。用紙が排出されることによりシーケンス動作は終了する。
【００３４】
以上のシーケンス制御用のカウンタのカウント値とシーケンス処理との対応関係を以下に示す。
カウント値          シーケンス処理
ＣＮＴ  Ｉ          静電ＯＮ
ＣＮＴ  ＦＥＥＤ    原稿給紙
ＣＮＴ  ＤＰＸ      両面給紙
ＣＮＴ  ２          充電スタート
ＣＮＴ  ３          フラッシュＯＮ
ＣＮＴ  ＥＸＩＴ    原稿排紙
ＣＮＴ  ４          イレースＯＦＦ
ＣＮＴ  ＨＩＧＨ    上段給紙
ＣＮＴ  ＭＩＤ      中段給紙
ＣＮＴ  ５          イレースＯＮ
ＣＮＴ  ＬＯＷ      下段給紙
ＣＮＴ  ６          両面切り替え爪ＯＮ／ＯＦＦ
ＣＮＴ  ７          排紙切り替え爪ＯＮ／ＯＦＦ
【００３５】
複写処理は、このシーケンス処理を、図６に示したセグメントの移動タイミングで次々に実行することにより実現される。
通常の複写処理は、このセグメントサイズと使用する用紙サイズで決定されるため、Ａ４サイズの処理速度が最も速く、Ｂ４サイズがその次で、Ａ４サイズの５分の４であり、Ａ３サイズでは５分の３となる。
処理速度の変更は、セグメントサイズと用紙サイズの対応を変えることで実現される。すなわち用紙サイズがＡ４であってもＢ４セグメントを使用することで、５分の４に、Ａ３セグメントを使用することで、５分の３に下げることが可能である。用紙サイズがＢ４の場合はＡ４セグメントを使用することで４分の３にすることができる。
【００３６】
次に、循環式原稿送り装置（ＲＤＦ）１１を用いた場合のコピー方法について説明する。
（１）片面原稿／片面コピーの場合
原積載置台に下向きに置かれた原稿は、１枚ずつ原稿束の下側から給紙され、原稿給紙路を通って、コンタクトガラス上に送られ露光される。露光が完了すると、コンタクトガラス上の原稿は、搬送ベルトにより左側に送られ、原稿排出トレイに排出される。
次の原稿は、露光中の原稿が、露光完了しないうちに給紙され始めるため、原稿交換のための遅れを設けることなく、コピーが作成される。
図１１は片面原稿／片面コピー時の原稿給紙と用紙給紙の様子を表したものである。この図１１において、丸付き数字で１〜１０は、１貢から１０貢の原稿を表し、○は給紙する転写紙を表しており、片面原稿を各１部複写する場合について表している。
原稿載置台２１の原稿が一巡すると１部のコピーが作成されるため、Ｎ部作成するためにはこの動作をＮ回繰り返す。
【００３７】
（２）片面原稿／両面コピーの場合
片面原稿／両面コピーの場合は、まず最初の原稿循環で表面となる原稿のコピーをとり一旦両面トレイにスタックする。次の循環で、両面トレイ内の表面コピー用紙に１回目の循環でコピーしなかった原稿のコピーをとることで１部の両面コピーを作成する。
複数部作成する場合は、２巡目以降の原稿循環時、両面トレイからの用紙にコピーすると同時に表面コピーを作成し両面トレイにスタックすることでＮ部をＮ＋１回の原稿循環で作成する。
図１２は、片面原稿／両面コピー時の原稿給紙と用紙給紙の様子を表したものである。この図１２において、丸付き数字の１〜１０は１貢から１０貢の原稿を表し、●は表面がコピーされた後に両面トレイ４５にスタックされる転写紙を表し、○はその両面トレイから再給紙されて裏面がコピーされる転写紙を表している。図１２に示した複写により、５枚の転写紙の両面１０貢に原稿の１貢〜１０貢がコピーされた複写物が２部作成される。
【００３８】
（３）両面原稿／両面コピーの場合
両面原稿／両面コピーの場合は、まず最初の原稿循環で表面となる原稿のコピーをとり、一旦両面トレイ４５にスタックする。この循環で原稿は反転して排出される。次の循環で、両面トレイ４５内にスタックされている表面がコピー済みの転写紙に原稿の裏面コピーをとることで１部の両面コピーを作成する。
裏面コピーの原稿循環で原稿は再度反転され、最初の状態に戻される。即ち、原稿載置台２１の原稿が２循環すると１部のコピーが作成される。
図１３は、両面原稿／両面コピー時の原稿給紙と用紙給紙の様子を表したものである。この図において、原稿は５枚の両面１０貢に記載されており、丸付き数字の１〜１０は１貢から１０貢の原稿の表面給紙を表し、アンダーラインを付した丸付き数字の１〜１０は１貢から１０貢の原稿の裏面給紙を表している。また、●は表面がコピーされた後に両面トレイ４５にスタックされる転写紙を表し、○はその両面トレイから再給紙されて裏面がコピーされる転写紙を表している。図１３に示した複写により、５枚の転写紙の両面１０貢に原稿の１貢〜１０貢がコピーされた複写物が２部作成される。
【００３９】
フィニシャーヘの排出
図２に示したフィニッシャー３ヘの、コピー後の転写紙の排出は、片面コピーモードに於いては１枚目の原稿コピーからであるから反転ユニットにより反転され、ステイプルトレイあるいはフィニッシャートレイへ排出される。
両面コピーモードでは裏面コピー実行後、排出されるから、反転されずに排出されることになる。
【００４０】
図４は自動原稿送り装置（ＡＤＦ）１２の構成を表したもので、図５はその斜視図を表したものである。
ＡＤＦ１２の原稿載置トレイ３９に画像面を下向きに載置された原稿束は、分離プレード３７により規制され最下面の原稿のみ分離ローラ４１、呼出ローラ４０の搬送力により給紙される。給紙された原稿はプルアウトローラー４２とターンローラー２５に搬送され搬送ベルト２６によりコンタクトガラス上にセットされる。
原稿がセットされると前述のコピープロセスが起動し、コピーが行われる。
コンタクトガラス上にセットされた原稿の排出は、原稿排紙トレイ４４に排紙するときは、搬送ベルト２６、排紙切替爪２７を上に切り替え、ＡＤＦ排紙ローラ２８をオンし、原稿排紙トレイ４４に排出される。
【００４１】
循環式原稿送り装置（ＲＤＦ）１１に搬送するときは、正転排出の時は、搬送ベルト２６を動作し、排紙切替爪２７を下に切り替え、原稿排紙路３２に導かれ、一旦排出路に進入した原稿の後端が反転センサー２９に検知されたとき、スイッチバックローラー３０が逆転し原稿は逆送する。この時排紙切替爪２７を上に切り替え、原稿は正転排出路３３に尊かれ、原稿排紙ローラー３４により、ＲＤＦ１１の原稿載置台２１に複写した面を下向きに排出される。
反転排出時はスイッチバックローラ一３０の逆転はなく、そのまま反転排出路３２に進み、ＲＤＦ１１の原稿載置台２１に複写した面が上向きに排出される。
原稿セット検知センサー４８−ａ、４８−ｂにより原稿がないと検知されると原稿給紙動作を止め複写動作を止める。
【００４２】
図１４はＲＤＦ１１及び、ＡＤＦ１２の原稿移動制御を行うＤＦ制御装置３００のブロック図である。
ＤＦ制御装置３００のＣＰＵはＲＯＭ、ＲＡＭ、ＡＤコンバータ、シリアル通信ポートがー体となったワンチップマイコンを使用し、出力ポート３０１、入力ポート３０２を外付けしている。
ＤＦ制御装置３００は、複写装置本体制御部２０１とシリアル通信をしている。
【００４３】
出力ポート３０１にはモータを等速に駆動するためのモータドライバが接続され、それぞれのモータを必要に応じて駆動する。更に原稿給紙クラッチ、仕切り爪ソレノイド等の負荷も駆動する。
入力ポート３０２には搬送センサー、原稿サイズセンサー等の信号が接続され、必要な情報が侍られるように構成されている。
ＲＤＦ１１、ＡＤＦ１２の原稿の動作は、上記負荷の駆動を所定のタイミングで実行することで実現される。
【００４４】
次に本実施形態による並列独立給紙モードの動作について説明する。
図１６〜図２０は、並列独立給紙モードの動作を表したフローチャートである。
複写開始待ち状態で並列独立搬送モードキー５７０が押されると（ステップ１６１；Ｙ）、並列独立搬送モードへ切り替わる。並列独立搬送モードへ切り替わると図１５の原稿給紙タイミング設定画面を操作部に表示する（ステップ１６２）。この原稿給紙タイミング設定画面で各原稿束の各ぺージがコピーするページの何ページ目にあたるかを原稿束ごとにテンキー７５とエンターキー７３使い、設定する。
設定が終了すると（ステップ１６３；Ｙ）、その値を操作部から本体ＣＰＵ２０１に送信し本体のＲＡＭ２２２にメモリーＡとして格納する（ステップ１６４）。
次にコピースタートキーが押されると（ステップ１６５；Ｙ）、、コピーページー数を１にし、原稿束Ａ，Ｂの給紙済みフラグを０にし（ステップ１６６）、原稿セット検知センサー４８−ａ、４８−ｂにより原稿束Ａと原稿束Ｂの原稿の有無を調べる（ステップ１６７）。
【００４５】
原稿載置台に原稿束Ａの原稿がある場合は（ステップ１７０；Ｙ）、原稿束Ａの原稿有りフラグを１にし（ステップ１７１）、メモリーＡに格納されている原稿束Ａの給紙タイミングデータのページとコピーページ数と比較し（ステップ１７２）、一致しているとき（ステップ１７２；Ｙ）には分離ブレード３７により規制され最下面の原稿のみ分離ローラ４１ａ、呼出ローラ４０ａの搬送力により給紙される。
給紙された原稿はプルアウトローラー４２ａとターンローラ２５に搬送され搬送ベルト２６ａにより原稿がコンタクトガラス上にセットされる。そして、原稿束Ａの原稿給紙済みフラグを１にする（ステップ１７３）。
原稿載置台に原稿束Ａの原稿が無い場合は（ステップ１７０；Ｎ）、原稿束Ａの原稿有りフラグを０にする（ステップ１７４）。
【００４６】
原稿載置台に原稿束Ｂの原稿がある場合は（ステップ１７５；Ｙ）、原稿束Ｂの原稿有りフラグを１にし（ステップ１７６）、メモリーＡに格納されている原稿束Ｂの給紙タイミングデータのページとコピーページ数と比較し（ステップ１７７）、一致しているときには（ステップ１７７；Ｙ）、分離ブレード３７により規制され最下面の原稿のみ分離ローラ４１ｂ、呼出ローラ４０ｂの搬送力により給紙される。給紙された原稿はプルアウトローラー４２ａとターンローラー２５に搬送され搬送ベルト２６ｂにより原稿がコンタクトガラス上にセットされる。そして、原稿束Ｂの原稿給紙済みフラグを１にする（ステップ１７８）。
原稿載置台に原稿束Ｂの原稿が無い場合は（ステップ１７５；Ｎ）、原稿束Ｂの原稿有りフラグを０にする（ステップ１７９）。
【００４７】
前述のコピープロセスが起動し、給紙済みフラグがたっていない（ステップ１８０；Ｙ、ステップ１８２；Ｙ）、原稿に対するイレーサー９を点灯し、その原稿の画像を消去し（ステップ１８１、ステップ１８３）、セットされたモードに基づき、置数の枚数分のコピーが行われる（ステップ１８４）。
次に、コピーページ数を１つ増やし（ステップ１８５）、メモリーＡに格納されている原稿束Ａの給紙タイミングデータのページとコピーページ数と比較し一致しているときには（ステップ１８６；Ｙ）、搬送ベルト２６ａ、排紙切替爪２７を上に切り替え、ＡＤＦ排紙ローラ２８をオンし、原稿排紙トレイ４４に排出される（ステップ１８７）。
そして、メモリーＡに格納されている原稿束Ｂの給紙タイミングデータのページとコピーページ数と比較し一致しているときには（ステップ１８８；Ｙ）、搬送ベルト２６ｂ、排紙切替爪２７を上に切り替え、ＡＤＦ排紙ローラ２８をオンし、原稿排紙トレイ４４に排出される（ステップ１８９）。
【００４８】
次に、原稿セット検知センサーにより、原稿載置台の原稿有無を調べ（ステップ１９０）、原稿有りフラグを使い、原稿給紙する前と原稿給紙後の原稿載置台の原稿の有無の変化を判断する（ステップ１９１〜ステップ２０６）。
原稿束Ａ、Ｂのどちらかが有る時で、原稿有無の変化があった場合は複写中断フラグをたて（ステップ１９３、１９７、２０１、２０４、２０６、２０７、ステップ１９８；Ｙ）、ステップ１６５のコピースタートキーを待つ中断時に戻る。
原稿有無の変化がない場合は（ステップ１９８；Ｎ）、ステップ１７０に戻り、再度、メモリーＡに格納されている原稿束Ａ、Ｂの給紙タイミングデータのページとコピーページ数と比較し一致したコピーページ数の時に原稿給紙し複写動作を続ける。
原稿束Ａ、原稿束Ｂの両方の原稿が原稿載置台よりなくなったときは（ステップ２０５；Ｎ）、コンタクトガラス上の原稿束Ａ、Ｂの原稿は搬送ベルト２６ａ、排紙切替爪２７を上に切り替え、ＡＤＦ排紙ローラ２８をオンし、原稿排紙トレイ４４に排出され（ステップ２０７、ステップ２０８）、並列独立給紙モードの複写動作を終了する。
【００４９】
【発明の効果】
本発明の複写装置によれば、画像を消去する機能でコンタクトガラス上に原稿がない部分の画像を消去することでユーザーに見やすい画像を提供することができる。
【図面の簡単な説明】
【図１】本発明の一実施形態における複写装置の主要部分の構成図である。
【図２】同上、複写装置の全体構成図である。
【図３】同上、複写装置が有する循環式原稿給紙装置を示す全体構成図である。
【図４】同上、複写装置が有する自動原稿給紙装置を示す構成図である。
【図５】同上、複写装置が有する自動原稿給紙装置が備えている複数の呼び出しローラと分離ローラおよびプルアウトローラの配置を説明するための斜視図である。
【図６】同上、複写装置における、継目で切って展開したベルト感光体の画像形成領域（セグメント）の配置を示す説明図である。
【図７】同上、複写装置本体に設けられた操作部を表した説明図である。
【図８】同上、操作部に設けられた表示部を表した説明図である。
【図９】同上、操作制御部のブロック図である。
【図１０】同上、複写装置の制御系を含めた概略構成図である。
【図１１】同上、複写装置による、片面原稿／片面コピー時の原稿給紙と用紙給紙の様子を表した説明図である。
【図１２】同上、複写装置による、片面原稿／両面コピー時の原稿給紙と用紙給紙の様子を表した説明図である。
【図１３】同上、複写装置による、両面原稿／両面コピー時の原稿給紙と用紙給紙の様子を表した説明図である。
【図１４】同上、複写装置における、ＤＦ制御装置のブロック図である。
【図１５】同上、複写装置における。原稿給紙タイミング設定画面を表した説明図である。
【図１６】同上、複写装置における並列独立給紙モードの動作の一部を表したフローチャートである。
【図１７】同上、複写装置における並列独立給紙モードの動作の他の一部を表したフローチャートである。
【図１８】同上、複写装置における並列独立給紙モードの動作の他の一部を表したフローチャートである。
【図１９】同上、複写装置における並列独立給紙モードの動作の他の一部を表したフローチャートである。
【図２０】同上、複写装置における並列独立給紙モードの動作の他の一部を表したフローチャートである。
【符号の説明】
１  複写装置本体
２  原稿束
２ａ  原稿
２ｂ  原稿
９  イレーサ
１１  循環式原稿給紙装置（ＲＤＦ）
１２  自動原稿給紙装置（ＡＤＦ）
１３  コンタクトガラス
３９  原稿載置トレイ（原稿給紙台）
４８−ａ、４８−ｂ  原稿セット検知センサー
【図１】
0003539658.tif 000002
【図２】
0003539658.tif 000003
【図３】
0003539658.tif 000004
【図４】
0003539658.tif 000005
【図５】
0003539658.tif 000006
【図６】
0003539658.tif 000007
【図７】
0003539658.tif 000008
【図８】
0003539658.tif 000009
【図９】
0003539658.tif 000010
【図１０】
0003539658.tif 000011
【図１１】
0003539658.tif 000012
【図１２】
0003539658.tif 000013
【図１３】
0003539658.tif 000014
【図１４】
0003539658.tif 000015
【図１５】
0003539658.tif 000016
【図１６】
0003539658.tif 000017
【図１７】
0003539658.tif 000018
【図１８】
0003539658.tif 000019
【図１９】
0003539658.tif 000020
【図２０】
0003539658.tif 000021